(57)【要約】      （修正有）【課題】支持基台の高さを低くした場合であってもダウエルピンと支持基台との間の保持力を高め、これによって、ダウエルピンの支持基台からの外れを抑えることができる歯科技工用作業模型を提供する。【解決手段】歯形模型４が固定される固定用プレート６と、固定用プレート６に植設された複数のダウエルピン８と、固定用プレートを支持するための支持基台１０と、を備えた歯科技工用作業模型。支持基台１０には、ダウエルピン８に対応して、上壁１４から延びる突出部１８が設けられ、各突出部１８には、挿通貫通孔２０が設けられている。更に各ダウエルピン８のテーパ部３６の先端部には、このテーパ部３６のテーパ面よりも径方向外方に突出する作用突部４５が設けられ、ダウエルピン８を挿通貫通孔２０に挿通すると、かかる作用突部４５が挿通貫通孔２０の内周面に作用する。【選択図】図４
2016059662.tif 000002
【特許請求の範囲】
【請求項１】
歯形模型が固定される固定用プレートと、前記固定用プレートに植設された複数のダウエルピンと、前記固定用プレートを支持するための支持基台と、を備えた歯科技工用作業模型であって、
前記支持基台は、前記複数のダウエルピンに対応して複数の挿通開口が設けられた上壁と、前記上壁の外周縁部から下方に延びる周側壁と、前記複数の挿通開口に対応して設けられ且つ前記上壁から下方に延びる複数の突出部とを有し、前記複数の突出部の各々には、対応する挿通開口から延びる挿通貫通孔が設けられており、
前記挿通貫通孔は、前記挿通開口から先端に向け内径が漸減する先細のテーパ状に形成され、前記ダウエルピンは、前記挿通貫通孔の内径に対応して、先端に向けて外径が漸減する先細のテーパ部を有しており、
更に、前記ダウエルピンの前記テーパ部の先端部には、前記テーパ部のテーパ面よりも径方向外方に突出する作用突部が設けられており、
前記ダウエルピンを対応する前記挿通開口を通して前記挿通貫通孔内に挿通すると、前記作用突部が前記挿通貫通孔の内周面に作用して前記ダウエルピンが前記挿通貫通孔に保持されることを特徴とする歯科技工用作業模型。
【請求項２】
前記ダウエルピンにおける前記テーパ部の前記作用突部は、外径が一定である円筒状部から構成されていることを特徴とする請求項１に記載の歯科技工用作業模型。
【請求項３】
前記ダウエルピンにおける前記テーパ部の前記作用突部と前記支持基台の前記挿通貫通孔の内周面とは、前記ダウエルピンの軸方向に０．２〜２．０ｍｍの範囲にわたって接触することを特徴とする請求項１又は２に記載の歯科技工用作業模型。
【請求項４】
歯形模型が固定される固定用プレートと、前記固定用プレートに植設された複数のダウエルピンと、前記固定用プレートを支持するための支持基台と、を備えた歯科技工用作業模型であって、
前記支持基台は、前記複数のダウエルピンに対応して複数の挿通開口が設けられた上壁と、前記上壁の外周縁部から下方に延びる周側壁と、前記複数の挿通開口に対応して設けられ且つ前記上壁から下方に延びる複数の突出部とを有し、前記複数の突出部の各々には、対応する挿通開口から延びる挿通貫通孔が設けられており、
前記挿通貫通孔は、前記挿通開口から先端に向け内径が漸減する先細のテーパ状に形成され、前記ダウエルピンは、前記挿通貫通孔の内径に対応して、先端に向けて外径が漸減する先細のテーパ部を有しており、
更に、前記支持基台の前記挿通貫通孔の先端部には、前記挿通貫通孔のテーパ面よりも径方向内方に突出する作用突部が設けられており、
前記ダウエルピンを対応する前記挿通開口を通して前記挿通貫通孔内に挿通すると、前前記テーパ部の前端部が前記支持基台の前記作用突部に作用して前記ダウエルピンが前記挿通貫通孔に保持されることを特徴とする歯科技工用作業模型。
【請求項５】
前記支持基台における前記挿通貫通孔の前記作用突部は、内径が一定である小内径部から構成されていることを特徴とする請求項１に記載の歯科技工用作業模型。
【請求項６】
前記支持基台の前記複数の突出部の先端部には、径方向外方への弾性変形を許容するために、周方向に間隔をおいて複数の複数のスリットが設けられていることを特徴とする請求項１〜６のいずれかに記載の歯科技工用作業模型。
【発明の詳細な説明】
【技術分野】
【０００１】
本発明は、歯科治療などにおいて用いられる歯科技工用作業模型に関する。
【背景技術】
【０００２】
一般に、歯科治療などに用いられる歯科技工用作業模型は、歯形模型が固定される固定用プレートと、固定用プレートに植設された複数のダウエルピンと、固定用プレートを支持するための支持基台と、を備えている（例えば、特許文献１参照）。支持基台は合成樹脂から形成され、その上面には、ダウエルピンを挿入するための複数の挿通開口が設けられているとともに、複数の柱状突部が設けられている。これら挿通開口は、支持基台の上面に間隔を置いて配設され、これら挿通開口から挿通貫通孔が延びており、複数の柱状突部は、これら挿入孔の両側に配設されている。固定用プレートは石膏から形成され、その下面には、支持基台側の複数の柱状突部に対応して複数の係合凹部が設けられている。
【０００３】
このような歯科技工用作業模型においては、固定用プレートに植設されたダウエルピンが支持基台の挿通開口を通して挿通貫通孔に挿入され、かく挿入することにより、この固定用プレートが支持基台の上面に支持される。この支持状態では、支持基台の柱状突部と固定用プレートの係合凹部とが相互に係合される。歯形模型は固定用プレートに固定した状態で所要の通りに切断され、切断した固定用プレートのダウエルピンが支持基台の対応する挿通貫通孔に挿入され、このダウエルピンを挿入したり外したりして支持基台の上面で所要の作業（例えば、歯冠補綴物の製作など）が行われる。この支持基台上での作業のとき、切断した固定用プレートの係合凹部と支持基台の柱状突部とが相互に係合されているので、切断した固定用プレートの支持基台に対する相対的回動（即ち、ダウエルピンを中心とする回動）が防止される。
【０００４】
また、合成樹脂から形成された支持基台の両側部に、外側に向けて上方に傾斜する第１傾斜面が設けられ、また石膏から形成された固定用プレートの両側部に、支持基台側の第１傾斜面に対応して、外側に向けて上方に傾斜する第２傾斜面が設けられた歯科技工用作業模型も知られている（例えば、特許文献２参照）。この歯科技工用作業模型では、支持基台の第１傾斜面に、複数の係合凹部が間隔をおいて設けられ、また固定用プレートの第２傾斜面に、複数の係合凹部に対応して、複数の係合凸部が間隔をおいて設けられ、ダウエルピンが支持基台の挿通貫通孔に挿入された状態においては、支持基台の上面に固定用プレートが支持され、その第２傾斜面の複数の係合突部と支持基台の第１傾斜面の複数の係合凹部とが係合される。
【先行技術文献】
【特許文献】
【０００５】
【特許文献１】特開２００９−１００８８０号公報
【特許文献２】特開２０１２−５５５２１号公報
【発明の概要】
【発明が解決しようとする課題】
【０００６】
近年、環境に優しい商品として、使用材料を少なくしたものが広がっており、この歯科技工用作業模型においても、支持基台の材料（例えば、合成樹脂材料）を少なくしたもの、換言すると支持基台の高さが低いものの開発が行われている。この作業模型では、その基本的構造は従来と同様であるが、その支持基台の高さが従来のものよりも低くなっている（この高さが低い分だけ合成樹脂材料の使用量が少なくなる）。
【０００７】
しかし、このように支持基台の高さを低くすると、これに伴ってダウエルピンの長さも短くなり、ダウエルピンの外周面と支持基台の挿通貫通孔の内周面との接触領域の面積も小さくなり、このことに起因して、支持基台とダウエルピンとの間の接触摩擦抵抗も小さくなる。従って、固定用プレートが支持基台から外れ易くなり、例えば、所要作業中などにおいて支持基台を逆さ状態にすると、この支持基台から固定用プレートが外れ、この固定用プレートが床などに落下して歯科模型が破損するおそれがある。
【０００８】
本発明の目的は、支持基台の高さを低くした場合であってもダウエルピンと支持基台との間の保持力を高め、これによって、ダウエルピンの支持基台からの外れを抑えることができる歯科技工用作業模型を提供することである。
【課題を解決するための手段】
【０００９】
本発明の請求項１に記載の歯科技工用作業模型は、歯形模型が固定される固定用プレートと、前記固定用プレートに植設された複数のダウエルピンと、前記固定用プレートを支持するための支持基台と、を備えた歯科技工用作業模型であって、
前記支持基台は、前記複数のダウエルピンの各々に対応して挿通開口が設けられた上壁と、前記上壁の外周縁部から下方に延びる周側壁と、前記挿通開口に対応して設けられ且つ前記上壁から下方に延びる突出部とを有し、前記突出部には、対応する挿通開口から延びる挿通貫通孔が設けられており、
前記挿通貫通孔は、前記挿通開口から先端に向け内径が漸減する先細のテーパ状に形成され、前記ダウエルピンは、前記挿通貫通孔の内径に対応して、先端に向けて外径が漸減する先細のテーパ部を有しており、
更に、前記ダウエルピンの前記テーパ部の先端部には、前記テーパ部のテーパ面よりも径方向外方に突出する作用突部が設けられており、
前記ダウエルピンを対応する前記挿通開口を通して前記挿通貫通孔内に挿通すると、前記作用突部が前記挿通貫通孔の内周面に作用して前記ダウエルピンが前記挿通貫通孔に保持されることを特徴とする。
【００１０】
また、本発明の請求項２に記載の歯科技工用作業模型では、前記ダウエルピンにおける前記テーパ部の前記作用突部は、外径が一定である円筒状部から構成されていることを特徴とする。
【００１１】
また、本発明の請求項３に記載の歯科技工用作業模型では、前記ダウエルピンにおける前記テーパ部の前記作用突部と前記支持基台の前記挿通貫通孔の内周面とは、前記ダウエルピンの軸方向に０．２〜２．０ｍｍの範囲にわたって接触することを特徴とする。
【００１２】
また、本発明の請求項４に記載の歯科技工用作業模型は、歯形模型が固定される固定用プレートと、前記固定用プレートに植設された複数のダウエルピンと、前記固定用プレートを支持するための支持基台と、を備えた歯科技工用作業模型であって、
前記支持基台は、前記複数のダウエルピンの各々に対応して挿通開口が設けられた上壁と、前記上壁の外周縁部から下方に延びる周側壁と、前記挿通開口に対応して設けられ且つ前記上壁から下方に延びる突出部とを有し、前記突出部には、対応する挿通開口から延びる挿通貫通孔が設けられており、
前記挿通貫通孔は、前記挿通開口から先端に向け内径が漸減する先細のテーパ状に形成され、前記ダウエルピンは、前記挿通貫通孔の内径に対応して、先端に向けて外径が漸減する先細のテーパ部を有しており、
更に、前記支持基台の前記挿通貫通孔の先端部には、前記挿通貫通孔のテーパ面よりも径方向内方に突出する作用突部が設けられており、
前記ダウエルピンを対応する前記挿通開口を通して前記挿通貫通孔内に挿通すると、前前記テーパ部の前端部が前記支持基台の前記作用突部に作用して前記ダウエルピンが前記挿通貫通孔に保持されることを特徴とする。
【００１３】
また、本発明の請求項５に記載の歯科技工用作業模型では、前記支持基台における前記挿通貫通孔の前記作用突部は、内径が一定である小内径部から構成されていることを特徴とする。
【００１４】
更に、本発明の請求項６に記載の歯科技工用作業模型では、前記支持基台の前記複数の突出部の先端部には、径方向外方への弾性変形を許容するために、周方向に間隔をおいて複数の複数のスリットが設けられていることを特徴とする。
【発明の効果】
【００１５】
本発明の請求項１に記載の歯科技工用作業模型によれば、支持基台の上壁には複数の挿通開口が設けられ、これらの挿通開口に対応して上壁から下方に延びる突出部が設けられ、各突出部には、対応する挿通開口から延びる挿通貫通孔が設けられ、更に挿通貫通孔は挿通開口から先端に向けて内径が漸減する先細のテーパ状に形成され、ダウエルピンは先端に向けて外径が漸減する先細のテーパ部を有しているので、ダウエルピンの先端側を挿通開口を通して挿通貫通孔に挿入すると、挿通貫通孔の内周テーパ面にダウエルピンの外周テーパ面が接触して保持され、これによって、固定用プレートを支持基台に支持することができる。また、ダウエルピンのテーパ部の先端部には、テーパ部のテーパ面よりも径方向外方に突出する作用突部が設けられているので、ダウエルピンを挿通貫通孔内に所要の通りに挿通すると、ダウエルピンの作用突部が挿通貫通孔の内周面に幾分圧入保持され、ダウエルピンの長さが短い（即ち、挿通貫通孔の内周テーパ面とダウエルピンの外周テーパ面との接触領域が小さい）場合であっても、このダウエルピンを所要の通りに挿通保持することができ、例えば作業中に支持基台を逆さ状態にしてもダウエルピンが挿通貫通孔から外れることがない。
【００１６】
また、本発明の請求項２に記載の歯科技工用作業模型によれば、ダウエルピンの作用突部は外径が一定である円筒状部であるので、加工が容易であるとともに、ダウエルピンの圧入保持力を容易に調整することができる。
【００１７】
また、本発明の請求項３に記載の歯科技工用作業模型によれば、ダウエルピンの作用突部と支持基台の挿通貫通孔の内周面とは、ダウエルピンの軸方向に０．２〜２．０ｍｍの範囲にわたって接触するので、ダウエルピンの作用突部を支持基台の挿通貫通孔に所要の保持力でもって圧入保持することができる。
【００１８】
また、本発明の請求項４に記載の歯科技工用作業模型によれば、その基本的構成が請求項１のものと同様であるので、ダウエルピンの先端側を挿通開口を通して挿通貫通孔に挿入すると、挿通貫通孔の内周テーパ面にダウエルピンの外周テーパ面が接触保持され、これによって、固定用プレートを支持基台に支持することができる。また、支持基台の挿通貫通孔の先端部には、この挿通貫通孔のテーパ面よりも径方向内方に突出する作用突部が設けられているので、ダウエルピンを挿通貫通孔内に所要の通りに挿通すると、ダウエルピンの外周面が挿通貫通孔内の作用突部の幾分圧入保持され、ダウエルピンの長さが短い場合であっても、このダウエルピンを所要の通りに挿通保持することができ、例えば作業中に支持基台を逆さ状態にしてもダウエルピンが挿通貫通孔から外れることがない。
【００１９】
また、本発明の請求項５に記載の歯科技工用作業模型によれば、支持基台側の挿通貫通孔内の作用突部は、内径が一定である小内径部から構成されているので、製作が容易であるとともに、ダウエルピンの圧入保持力を容易に調整することができる。
【００２０】
更に、本発明の請求項６に記載の歯科技工用作業模型によれば、支持基台の各突出部の先端部には、周方向に間隔をおいて複数のスリットが設けられているので、各突出部の先端部の弾性変形が許容され、各突出部の弾性復元力でもってダウエルピンの先端側を弾性保持することができる。
【図面の簡単な説明】
【００２１】
【図１】本発明に従う歯科技工用作業模型の第１の実施形態を示す斜視図。
【図２】図１の歯科技工用作業模型において、支持基台から固定用プレートを離脱させた状態で示す斜視図。
【図３】図１の歯科技工用作業模型を示す平面図。
【図４】図１におけるＩＶ−ＩＶ線による断面図。
【図５】図５（ａ）は、支持基台側の突出部に設けられた挿通貫通孔を示す断面図、図５（ｂ）は、支持基台側の挿通貫通孔に挿入されるダウエルピンを示す正面図、図５（ｃ）は、支持基台側の挿通貫通孔にダウエルピンを挿通した状態を示す断面図。
【図６】支持基台に成型用基枠を装着して固定用プレートを成形する作業を説明するための説明図。
【図７】図７（ａ）は、本発明に従う歯科技工用作業模型の第２の実施形態における支持基台の挿通貫通孔を示す断面図、図７（ｂ）は、第２の実施形態におけるダウエルピンを示す図。
【図８】図８（ａ）は、本発明に従う歯科技工用作業模型の第３の実施形態における支持基台の挿通貫通孔を示す断面図、図８（ｂ）は、第３の実施形態における支持基台側の挿通貫通孔内にダウエルピンを挿通した状態を示す断面図。
【図９】本発明に従う歯科技工用作業模型の第４の実施形態における支持基台を示す平面図。
【図１０】本発明に従う歯科技工用作業模型の第５の実施形態における支持基台を示す平面図。
【図１１】本発明に従う歯科技工用作業模型の第６の実施形態における支持基台を示す平面図。
【発明を実施するための形態】
【００２２】
以下、添付図面を参照して、本発明に従う歯科技工用作業模型の実施形態について説明する。まず、図１〜図６を参照して第１の実施形態の歯科技工用作業模型について説明する。図１〜図４において、図示の歯科技工用作業模型２は、歯形模型４が固定される固定用プレート６と、固定用プレート６に植設された複数（図示の形態では、５本）のダウエルピン８と、固定用プレート６を支持するための支持基台１０と、を備えている。
支持基台１０は基台本体１２を備え、この基台本体１２は、例えばポリエチレン樹脂、ポリプロピレン樹脂、ナイロン樹脂、ウレタン樹脂などの合成樹脂から形成されている。この基台本体１２は、所定方向（図２及び図３において左右方向、図４において紙面に垂直な方向）に細長い上壁１４を有し、この上壁１４の外周縁部には、下方に延びる周側壁１６が設けられている。この上壁１４には、その長手方向（即ち、上記所定方向）に間隔をおいて複数（この形態では、５つ）の挿入開口１７が設けられ、これら挿入開口１７は、固定用プレート６側の複数のダウエルピン８に対応して設けられる。
【００２３】
基台本体１２の上壁１４の内面（下面）には、各挿入開口１７に対応して突出部１８（図４参照）が設けられ、これら突出部１８は上壁１４から下方に延びている。かかる突出部１８には、挿入開口１７から下方に延びる挿通貫通孔２０が設けられ、固定用プレート６側の複数のダウエルピン８は、後述するように、基台本体１２の対応する挿入開口１７を通して挿通貫通孔２０に挿通される。この形態では、各挿通貫通孔２０は、図４に示すように、先端に向けて（即ち、図４において下方に向けて）内径が漸減する先細のテーパ状に形成されている。
【００２４】
基台本体１２の周側壁１６の下端は、上壁１４から下方に延びる各突出部１８の先端よりも長く、例えばテーブル１７（図４参照）などに載置したときには、図４に示すように、周側壁１６の下端がテーブル面に載置され、突出部１８の先端がテーブル面の上方に位置し、テーブル面に接触することがない。また、固定用プレート６側のダウエルピン８を基台本体１２側の対応する挿通貫通孔２０内に挿通した状態では、ダウエルピン８の先端部は挿通貫通孔２０を通して突出部１８から下方に幾分突出するが、突出部１８から突出する先端部がテーブル面に接触することがない。
【００２５】
この実施形態では、上壁１４の上面における相互に対向する両側部に一対の側端壁部２２，２４が設けられ、これら側端壁部２２，２４の内側に上傾斜壁部２６，２８が設けられ、片方（図４において右側）の上傾斜壁部２６は、上壁１４の上面の片側部（図４において右側部）から外側に一方の側端壁部２２の上端に向けて上方に傾斜して延び、他方（図４において左側）の上傾斜壁部２８は、上壁１４の上面の他側部（図４において左側部）から外側に他方の側端壁部２２の上端に向けて上方に傾斜して延びている。
【００２６】
一対の側端壁部２２，２４及び一対の上傾斜壁部２６，２８は、基台本体１２の中間部（即ち、長手方向両端部を除く部位）にその長手方向に沿って延びるように設けられ、一対の上傾斜壁部２６，２８には、その長手方向（図２及び図３において左右方向、図４において紙面に垂直な方向）に間隔をおいて複数の係合凹部３０，３２が設けられている。
【００２７】
また、基台本体１２の周側壁１６の外周面には、複数の挿入孔１８に対応して（換言すると、固定用プレート６側の複数のダウエルピン８に対応して）位置決め用突部３４が設けられ、この位置決め用突部３４は、一対の挿通貫通孔２０を挟んでそれらの両側にそれぞれ配設されている。
【００２８】
次に、固定用プレート６について説明すると、この固定用プレート６は石膏から形成され、基台本体１２の上壁１４の形状に対応した細長い形状を有している。この固定用プレート６には、基台本体１２の各挿入開口１７（挿通貫通孔２０）に対応して複数（この形態では、５本）のダウエルピン８が植設されている。これらダウエルピン８の各々は、各挿通貫通孔２０の内径が先端に向けて漸減する先細のテーパ状に形成されていることに対応して、その基端部から先端部にわたって外径が漸減する先細のテーパ状に形成されている。
【００２９】
主として図４とともに図５を参照して、この実施形態では、各ダウエルピン８のテーパ部３６の先端部に、このテーパ部３６のテーパ面よりも径方向外方に突出する作用突部４５が設けられている。この作用突部４５は、図５（ｂ）及び（ｃ）で示すように、外径が一定である円筒状部から構成され、テーパ部３６の先端から前方に延びている。また、このダウエルピン８の基端部には、固定用プレート６に対する固定強度を高めるためにローレット加工が施されたローレット部３９が設けられている。
【００３０】
基台本体１２の挿通貫通孔２０内に挿入されるテーパ部３６の長さ（換言すると、挿通貫通孔２０内に位置してその内周面と接触する部位の長さ）Ｌ１（図４（ｂ）参照）は、例えば１２〜１５ｍｍ程度であり、また挿通貫通孔２０内に位置する作用突部４５の長さＬ２（換言すると、挿通貫通孔２０内に位置してその内周面に作用する部位の長さＬ２（図４（ｂ）参照）は、０．２〜２．０ｍｍ程度である。作用突部４５における挿通貫通孔２０内に位置する部位の長さＬ２が２．０ｍｍを超えると、この作用突部４５が基台本体１２側の挿通貫通孔２０に大きく食い込むようになって圧入保持力が大きくなり、ダウエルピン８の挿入、離脱をスムースに行うのが難しくなるおそれがある。また、作用突部４５のこの長さＬ２が０．２ｍｍより小さくなると、作用突部４５が基台本体１２側の挿通貫通孔２０にほとんど作用しなくなって圧入保持力が小さくなり、ダウエルピン８が挿通貫通孔２０から外れ易くなるおそれがある。
【００３１】
この固定用プレート６は、支持基台１０の上面形状に対応して、更に次の通りに構成されている。図２及び図４を参照して、固定用プレート６の下面（即ち、ダウエルピン８が突出する側の面）における相互に対向する両側端部には、基台本体１２の一対の側端壁部２２，２４に対応して、一対の側端凹部３６，３８が設けられている。また、一対の側端凹部３６，３８の内側には、基台本体１２の一対の上傾斜壁部２６，２８に対応して、一対の側端凹部３６，３８の内側に下傾斜壁部４０，４２が設けられ、一方の下傾斜壁部４０は、一方の側端凹部３６の底部に向けて上方に傾斜して延び、他方の下傾斜壁部４２は、他方の側端凹部３８の底部に向けて上方に傾斜して延びている。これら下傾斜壁部４０，４２には、基台本体１２側の複数の係合凹部３０，３２に対応して、複数の係合突部（図示せず）が設けられている。
【００３２】
固定用プレート６の上面には、図１、図２及び図４に示すように、石膏から形成された歯形模型４（この実施形態では、部分タイプのもの）が接着剤などにより固定される。この固定用プレート６は、複数のダウエルピン８を対応する挿通貫通孔２０に所要の通りに着脱自在に挿入することにより、基台本体１２の上壁１４に着脱自在に支持される。この支持状態では、各ダウエルピン８の先端部は突出部１６の先端部から下方に幾分突出し、その作用突部４５は、基台本体１２側の突出部１８の内周面（即ち、挿通貫通孔２０）に幾分食い込み、この食込みにより所要の保持力が得られ、逆さ状態にした場合などにおける支持基台１０からの固定用プレート６の落下などが防止される。また、基台本体１０側の一対の側端壁部２２，２４と固定用プレート６側の一対の側端凹部３６，３８とが相互に係合するとともに、基台本体１２側の複数の係合凹部３０，３２と固定用プレート６側の複数の係合突部（図示せず）とが相互に係合し、これによって、支持基台１０に対する固定用プレート６（後述するように、固定用プレート６を切断した場合も含む）の相対的回動が防止される。
【００３３】
次に、図６を参照して、上述した歯科技工用作業模型２の製造方法について概説する。まず、歯型（図示せず）に石膏を流し込んで歯形模型４を製作する。また、例えば、合成樹脂による射出成形によって基台本体１２を製作する。そして、基台本体１２の各挿通貫通孔２０内にダウエルピン８を先端側から着脱自在に挿入する。この挿入は、ダウエルピン８のテーパ部３６の外周面が基台本体１２側の挿通貫通孔２０の内周面に当接するまで行われ、かく挿入した状態では、ダウエルピン８の基端部は、基台本体１２の上壁１４から上方に所定長さ（例えば、約４〜５ｍｍ程度）突出し、ダウエルピン８の作用突部４５は、基台本体１２側の突出部１８の内周面に幾分食い込み、この作用突部４５の先端部は、挿通貫通孔２０を貫通して幾分突出する。
【００３４】
次いで、基台本体１２の上部に成型用基枠４６を着脱自在に装着する。ここで、枠装着工程で用いる成型用基枠４６について説明すると、成型用基枠４６は全体として略矩形状の外形を有し、例えばシリコンゴムや合成ゴムなどのゴム材料から形成されている。成型用基枠４６の内側には上下に貫通する開口４８が設けられ、この開口４８は、基台本体１２の上部の形状に対応した形状を有している。
成型用基枠４６を基台本体１２の上部に装着すると、基台本体１２の上壁１４及び周側壁１６の上端部が開口４８の下端部に挿入され、成型用基枠４６の内周面が周側壁１４の外周面に密着するようになる。このとき、成型用基枠４６の下端部が基台本体１２の位置決め用突部３４に当接支持されることにより、成型用基枠４６が基台本体１２に対して所定の装着位置に位置決めされる。この装着状態では、成型用基枠４６は、基台本体１２の上壁１４から上方に所定高さ（例えば、約８ｍｍ程度）突出するようになり、基台本体１２の上壁１４の上面及び成型用基枠４６の内周面によって注入空間が規定される。
【００３５】
その後、成型用基枠４６内の注入空間５０に石膏を注入する。この石膏は、ダウエルピン８の基端部が石膏に完全に浸漬されるまで注入される。そして、注入空間５０内の石膏が硬化すると、ダウエルピン８が植設された固定用プレート６が成型される。
【００３６】
しかる後、成型用基枠４６を基台本体１２の上部から取り外し、固定用プレート６の上面に例えば研削加工を施して平坦となるように加工する。この研削加工は、固定用プレート６を基台本体１２の上面に支持させた状態で行われ、ダウエルピン８の基端面が外部に露出するまで行い、このようにして図１及び図２に示す通りの作業模型２が製作される。
【００３７】
このように製作した作業用模型２は、例えば、次のようにして用いられる。基台本体１２に固定用プレート６を装着した状態で、固定用プレート６の上面に歯形模型４を接着剤などを用いて固定する。そして、このように固定した状態で、例えば、図１において一点鎖線で示す切断線５０に沿って歯形模型４の所定部位を固定用プレート６とともに切断工具（図示せず）を用いて切断する。このとき、固定用プレート６を切断することによって、基部体１２の一対の側端壁部２２，２４まで切断工具により切断されて一点鎖線で示す切込み５２が形成される。このように切断することによって、歯形模型４の切断した部位を固定用プレート６及びダウエルピン８とともに残りの部位から取り出すことができる。なお、上述したように、基台本体１２には挿入開口１７（挿通貫通孔２０）に対応して位置決め用突部３４が設けられているので、歯形模型４を切断する際に、この位置決め用突部３４を基準にすることによって、ダウエルピン８の配設箇所を確認することができる。
【００３８】
この切断した歯形模型４を用いた所要の作業（例えば、歯冠補綴物の製作等）は、切断した固定用プレート６を基台本体１２の上面に支持させた状態で行われ、この作業中に切断した部位（歯科模型４の切断した部位、この部位が固定された固定用プレート６の部位及びこの部位に植設されたダウエルピン８）の基台本体１２への取付け、またその取外しが繰り返し行われる。この実施形態では、ダウエルピン８の先端部に作用突部４５が設けられているので、ダウエルピン８を基台本体１２の貫通挿入孔２０に挿入した状態においては、この作用突部４５が基台本体１２側の突出部１８の内周面に幾分食い込み、この食込みにより所要の保持力が得られ、この作業中における取付け、取外し時に適度の抵抗力を持たせることができる。
【００３９】
尚、この本実施形態では、固定用プレート６の上面に歯形模型４を接着剤などを用いて固定するようにしているが、このような構成に代えて、硬化する前の石膏状態の固定用プレート６に歯形模型４を押し付け、石膏の硬化により固定用プレート６の上面に歯形模型４を固定するようにしてもよい。
【００４０】
また、上述した実施形態では、ダウエルピン８の作用突部４５を外径が一定である円筒状部から構成しているが、このような構成に限定されず、例えばテーパ部３６のテーパ面の傾斜角度よりも傾斜角度が緩いテーパ面を有するテーパ部（換言すると、テーパ部３６のテーパ面より径方向外方に突出するテーパ面を有するテーパ部）からこの作用突部４５を構成するようにしてもよい。
【００４１】
次いで、図７を参照して、本発明に従う歯科技工用作業模型の第２の実施形態について説明する。この第２の実施形態においては、適当な保持力を得るための作用突部が基台本体側に設けられている。尚、以下の実施形態において、上述した実施形態と実質上同一の部材には同一の参照番号を付し、その説明を省略する。
【００４２】
図７において、この第２の実施形態の作業模型の基台本体１２Ａには、上述したと同様に、その上壁１４から下方に突出する突出部１８Ａが設けられ、この突出部１８Ａには、上壁１４の挿入開口１７から下方に延びる挿通貫通孔２０Ａが設けられ、挿通貫通孔２０Ａは、図７（ａ）に示すように、挿通貫通孔２０Ａの一端（上壁１４側）から他端（突出部１８Ａの先端側）に向けて内径が漸減する先細のテーパ状に形成されている。
【００４３】
この形態では、基台本体１２Ａにおける挿通貫通孔２０Ａの先端部（換言すると、挿通貫通孔２０Ａを規定する内周面の先端部）に、このテーパ内周面よりも径方向内方に突出する作用突部６２が設けられている。一方、ダウエルピン８Ａのテーパ部３６Ａは、挿通貫通孔２０Ａの内径が先端に向けて漸減する先細のテーパ状であることに対応して、その基端部から先端部にわたって外径が漸減する先細のテーパ状に形成されている。
【００４４】
この形態においても、図示していないが、基台本体１２Ａの周側壁の下端は、上壁１４から下方に延びる各突出部１８Ａの先端よりも長く、テーブル（図示せず）などに載置したときには、この周側壁の下端がテーブル面に載置され、突出部１８Ａの先端がテーブル面の上方に位置し、テーブル面に接触することがなく、また固定用プレート（図示せず）側のダウエルピン８Ａを基台本体１２側の対応する挿通貫通孔２０Ａ内に挿通した状態では、ダウエルピン８Ａの先端部は挿通貫通孔２０Ａを通して突出部１８Ａから下方に幾分突出する（図７（ｂ）参照）が、突出部１８Ａから突出する先端部がテーブル面に接触することがない。
【００４５】
この実施形態では、挿通貫通孔２０Ａの作用突部６２は、挿通貫通孔２０Ａのテーパ面の先端よりも内径が小さい小内径部から構成され、この小内径部の内径は一定に形成されている。このような作用突部６２の長さＬ３は、例えば０．２〜２．０ｍｍ程度であり、この作用突部６２の長さＬ３が大きくなると、上述したように圧入保持力が大きくなり、その長さＬ３が小さくなると、圧入保持力が小さくなり、所要の圧入保持力が得られるように作用突部６２の長さが設定される。この第２の実施形態の歯科技術用作業模型のその他の構成は、上述した第１の実施形態のものと同様である。
【００４６】
このような作業模型において、ダウエルピン８を基台本体１２Ａの挿通貫通孔２０Ａに挿入すると、図７（ｂ）から理解されるように、ダウエルピン８の先端部が挿通貫通孔２０Ａ内の作用突部６２に幾分食い込み、この食込みにより所要の保持力が得られ、第１の実施形態と同様に、歯科技工の作業中における固定用プレート（切断した部位を含む）の取付け、取外し時に適度の抵抗力を持たせることができる。
【００４７】
この実施形態では、基台本体１２Ａの挿通貫通孔２０Ａの先端部に、環状に連続する作用突部６２を設けているが、このような構成に代えて、周方向に間隔をおいて設けた複数の内突部により作用突部を構成するようにしてもよい。
【００４８】
また、この実施形態では、この挿通貫通孔２０Ａ側の作用突部６２を外径が一定である小内径部から構成しているが、このような構成に限定されず、例えば挿通貫通孔２０Ａのテーパ面の傾斜角度よりも傾斜角度が緩いテーパ面を有する内テーパ部（換言すると、このテーパ面より径方向内方に突出するテーパ面を有する内テーパ部）からこの作用突部６２を構成するようにしてもよい。
【００４９】
次に、図８を参照して、本発明に従う歯科技工用作業模型の第３の実施形態について説明する。この第３の実施形態においては、基台本体の突出部の先端部が径方向外方に弾性変形し易く構成されている。
【００５０】
図８において、この第３の実施形態の作業模型の基台本体１２Ｂには、上述したと同様に、その上壁１４から下方に突出する突出部１８Ｂが設けられ、この突出部１８Ｂには、上壁１４の挿入開口１７から下方に延びる挿通貫通孔２０Ｂが設けられ、挿通貫通孔２０Ｂは、図８（ａ）に示すように、挿通貫通孔２０Ｂの一端（上壁１４側）から他端（突出部１８Ｂの先端側）に向けて内径が漸減する先細のテーパ状に形成され、この挿通貫通孔２０Ｂの先端部に、第２の実施形態と同様ように、そのテーパ内周面よりも径方向内方に突出する作用突部６２が設けられている。また、ダウエルピン８Ａのテーパ部３６Ａは、挿通貫通孔２０Ｂの内径が先端に向けて漸減する先細のテーパ状であることに対応して、その基端部から先端部にわたって外径が漸減する先細のテーパ状に形成されている。
【００５１】
この第３の実施形態では、基台本体１２Ｂの各突出部１８Ｂの先端側に複数のスリット７２が設けられている。複数のスリット７２は、突出部１８Ｂの周方向に等間隔（この形態では、９０度の間隔）をおいて設けられ、突出部１８Ｂの外周面から挿通貫通孔２０Ｂの内周面まで延びている。このように構成されているので、各突出部１８Ｂの先端部（即ち、スリット７２により分離された各部位）は、比較的容易に径方向外方に弾性変形可能となる。尚、このようなスリット７２は、突出部１８Ｂの先端部に周方向に間隔をおいて２つ、３つ、６つなどの適宜の数を設けることができる。この第２の実施形態の歯科技工用作業模型のその他の構成は、上述した第２の実施形態のものと実質上同一である。
【００５２】
このような作業模型において、ダウエルピン８を基台本体１２Ｂの挿通貫通孔２０Ｂに挿入すると、図８（ｂ）から理解されるように、ダウエルピン８の先端部が挿通貫通孔２０Ｂ内の作用突部６２に幾分食い込み、かく食い込む際に突出部１８ｂの先端部が径方向外方に幾分弾性変形し、この弾性変形によって適度の保持力が得られ、第１及び第２の実施形態と同様に、歯科技工の作業中における固定用プレート（切断した部位を含む）の取付け、取外し時に適度の抵抗力を持たせることができる。尚、このようなスリット７２は、上述した第１の実施形態の作業模型２にも設けることができる。
【００５３】
以上、本発明に従う歯科技工用作業模型の各種実施形態について説明したが、本発明は上述した実施形態に限定されるものではなく、本発明の範囲を逸脱することなく種々の変更乃至修正が可能である。
【００５４】
例えば、上述した実施形態では、本発明を部分顎タイプの一形態のものに適用して説明したが、その他の形態の部分顎タイプのものにも同様に適用することができる。例えば、図９に示す第４の実施形態のように、支持基台１０Ｃにおける基台本体１２Ｃの上壁１４Ｃの上面に設けられた一対の側端壁部２２，２４及び一対の上傾斜壁部２６，２８の間（より具体的には、この上壁１４Ｃに設けられた複数の挿入開口１７と側端壁部２４及び上傾斜壁部２８との間）に基台本体１２Ｃの長手方向（図９において左右方向）に沿って細長い突条８２が設けられた形態のもの、或いは図１０に示す第５の実施形態のように、支持基台１０Ｄにおける基台本体１２Ｄの上壁１４Ｄの上面に設けられた一対の側端壁部２２，２４及び一対の上傾斜壁部２６，２８の間（より具体的には、この上壁１４Ｄに設けられた複数の挿入開口１７と側端壁部２４及び上傾斜壁部２８との間）に基台本体１２Ｄの長手方向（図１０において左右方向）に沿って間隔をおいて複数の小突部８４が設けられた形態のものなどにも同様に適用することができる。
【００５５】
更に、全顎タイプのものにも同様に適用することができる。例えば、図１１に示す第６の実施形態に示すように、略半円形状の支持基台１０Ｅに略Ｕ字状の基台本体１２Ｅを備えたものにも適用することができる。この全顎タイプの歯科技工用作業模型の一例では、上述した第１の実施形態と同様に、基台本体Ｅの上壁１４Ｅの上面の両側部に、その長手方向に沿って一対の側端壁部２２Ｅ，２４Ｅが設けられ、これら側端壁部２２Ｅ，２４Ｅの内側に上傾斜壁部２６Ｅ，２８Ｅが設けられ、これら上傾斜壁部２６Ｅ，２８Ｅには、その長手方向に間隔をおいて複数の係合凹部３０Ｅ，３２Ｅが設けられており、このような作業模型にも同様に適用することができる。
【００５６】
更には、全顎タイプの他の形態のもの、例えば、図９に示す第４の実施形態と同様に、支持基台１０Ｅにおける基台本体１２Ｅの上面１４Ｅの一対の側端壁部２２Ｅ，２４Ｅ及び一対の上傾斜壁部２６Ｅ，２８Ｅの間（より具体的には、この上壁１４Ｅに設けられた複数の挿入開口１７Ｅと側壁端壁２４Ｅ及び上傾斜壁部２８Ｅとの間）に、基台本体１２Ｅの長手方向に沿って延びる細長い略Ｕ字状の突状が設けられた形態のもの、或いは図１０に示す第５の実施形態と同様に、基台本体１２Ｅの上面１４Ｅの一対の側端壁部２２Ｅ，２４Ｅ及び一対の上傾斜壁部２６Ｅ，２８Ｅの間（より具体的には、この上壁１４Ｅに設けられた複数の挿入開口１７Ｅと側壁端壁２４Ｅ及び上傾斜壁部２８Ｅとの間）に、基台本体１２Ｅの長手方向に沿って間隔をおいて複数の小突部が設けられた形態のものなどにも同様に適用することができる。
【符号の説明】
【００５７】
２  歯科技工用作業模型
４  歯形模型
６  固定用プレート
８  ダウエルピン
１０，１０Ｃ，１０Ｄ，１０Ｅ  支持基台
１２，１２Ａ，１２Ｂ、１２Ｃ，１２Ｄ，１２Ｅ  基台本体
１４，１４Ｃ，１４Ｄ  上壁
１７，１７Ｅ，１７Ｅ  挿入開口
１８，１８Ａ，１８Ｂ  突出部
２０，２０Ｂ  挿通貫通孔
４５，６２  作用突部
７２  スリット
８２  突条
８４  小突部
【図１】
2016059662.tif 000003
【図２】
2016059662.tif 000004
【図３】
2016059662.tif 000005
【図４】
2016059662.tif 000006
【図５】
2016059662.tif 000007
【図６】
2016059662.tif 000008
【図７】
2016059662.tif 000009
【図８】
2016059662.tif 000010
【図９】
2016059662.tif 000011
【図１０】
2016059662.tif 000012
【図１１】
2016059662.tif 000013